(57)【特許請求の範囲】
【請求項１】
本体内の上部に加熱コイルを有し、加熱コイルに電流を供給する制御回路を設け、加熱コイルおよび制御回路を冷却する第１の送風手段と第１の送風経路とを具備し、本体上部には、被加熱器具を有し、被加熱器具の側面近傍に吹き出し口を設け、吹き出し口の対向する位置に吸い込み口を有し、吸い込み口と吹き出し口を連結する第２の送風手段と第２の送風経路および油煙除去手段を設け、吹き出し口から吸い込み口に対して、空気を吐出することで被加熱器具の上面に空気の流れを形成し、前記第１の送風経路と前記第２の送風経路とを略直角に重なる構成にして、前記第１の送風経路と前記第２の送風経路とを干渉することがない経路構成とした誘導加熱調理器。
【請求項２】
第２の送風経路に送風する風の一部を排出する排気穴を第１の送風経路の吸気口の吸気範囲から離して設けてなる請求項１に記載の誘導加熱調理器。
【発明の詳細な説明】
【０００１】
【発明の属する技術分野】
本発明は誘導加熱調理器に関するものである。
【０００２】
【従来の技術】
以下に、従来の誘導加熱調理器について説明する。
【０００３】
図９は従来の誘導加熱調理器を示すものである。従来の誘導加熱調理器は、本体上部には、被加熱器具１を置載し、本体内の上部に加熱コイル２を有し、加熱コイル２に電流を供給する制御回路３を設け、加熱コイル２および制御回路３を冷却する送風手段４を具備し送風経路５を有するものが知られている。以上の構成により、被加熱器具、例えばプレ−ト上に、肉、野菜などの食材を置いて焼く際、肉から出る油や調理前にプレ−ト表面に塗る油などがプレ−ト上で焼けて大量の油煙６が発生し、飛散したり、上昇気流とともに室内に拡散していき、天井や壁、床を汚していた。これを防止するために発生した油煙を除去する手段としては、家庭では一般的に換気扇を用いて屋外に排出している。
【０００４】
【発明が解決しようとする課題】
しかしながら、上記従来の構成では、換気扇を用いたとしても、換気扇と誘導加熱調理器との距離関係や換気扇の能力の問題などから、使う場所の制約を受けやすい一方、油煙を屋外へ排出するのに時間がかかったり、室内自体に油煙がいったん拡散するのを防ぐことが、非常に困難であるという課題を有していた。
【０００５】
本発明はこのような従来の課題を解決するものであり、油煙が室内に拡散するのを低減するだけでなく、コンパクトな大きさで使いやすく、使う場所の制約を受けにくい家庭用の誘導加熱調理器を提供することを目的としている。
【０００６】
【課題を解決するための手段】
上記課題を解決するために本発明は、本体内の上部に加熱コイルを有し、加熱コイルに電流を供給する制御回路を設け、加熱コイルおよび制御回路を冷却する第１の送風手段と第１の送風経路とを具備し、本体上部には、被加熱器具を有し、被加熱器具の側面近傍に吹き出し口を設け、吹き出し口の対向する位置に吸い込み口を有し、吸い込み口と吹き出し口を連結する第２の送風手段と第２の送風経路および油煙除去手段を設け、吹き出し口から吸い込み口に対して、空気を吐出することで被加熱器具の上面に空気の流れを形成し、前記第１の送風経路と前記第２の送風経路とを略直角に重なる構成にして、前記第１の送風経路と前記第２の送風経路とを干渉することがない経路構成としたものである。
【０００７】
【発明の実施の形態】
請求項１記載の発明は、本体内の上部に加熱コイルを有し、加熱コイルに電流を供給する制御回路を設け、加熱コイルおよび制御回路を冷却する第１の送風手段と第１の送風経路とを具備し、本体上部には、被加熱器具を有し、被加熱器具の側面近傍に吹き出し口を設け、吹き出し口の対向する位置に吸い込み口を有し、吸い込み口と吹き出し口を連結する第２の送風手段と第２の送風経路および油煙除去手段を設け、吹き出し口から吸い込み口に対して、空気を吐出することで被加熱器具の上面に空気の流れを形成し、前記第１の送風経路と前記第２の送風経路とを略直角に重なる構成にして、前記第１の送風経路と前記第２の送風経路とを干渉することがない経路構成としたものである。
【０００８】
請求項２記載の発明は、上記第２の送風経路に送風する風の一部を排出する排気穴を、第１の送風経路の吸気口の吸気範囲から離して設けたものである。
【０００９】
請求項１記載の発明によれば、油煙除去手段によって油煙は除去され、油煙が室内に拡散することが大幅に低減される。また、誘導加熱調理器自体に油煙拡散を低減する手段を持たせたので、工事が不要で、使う場所の制約を受けることがない、簡単な構成で、使いやすい家庭用の誘導加熱調理器を提供することができる。さらに、加熱コイルおよび加熱コイルに電流を供給する制御回路を冷却する第１の送風手段と第１の送風経路と油煙を除去する第２の送風手段と第２の送風経路を分けることで、油煙除去手段を通過した後、残留油煙があったとしても、加熱コイルや制御回路に油が付着することがなく、また、吸い込まれた被加熱器具上の熱い空気が加熱コイルや制御回路に流れ込み、冷却状態を悪化させることを防ぐことができる。
【００１０】
また、第１の送風経路と第２の送風経路とが、略直角に重なる構成とすることで、第１の送風経路である冷却風の送風経路と第２の送風経路である除煙風の送風経路とが影響し合うことなく形成でき、冷却のための吸気が被加熱器具上部を通過した熱い空気が流れる第２の送風経路である除煙の送風経路により暖められることが無く、効率のよい冷却を可能とすると共に、除煙の循環経路に冷却の送風経路が干渉することがない経路構成が可能となるため、効率のよい除煙を行うことができる。
【００１１】
請求項２記載の発明によれば、第２の送風経路に送風する風の一部を排出する排気穴を、第１の送風経路の吸気口の吸気範囲から離して設けることにより、被加熱器具上部を通過した熱い空気が流れる第２の送風経路から排出された熱い空気を冷却のための空気として吸い込むことを防ぎ、効率よく冷却を行うことができる。
【００１２】
【実施例】
以下本発明の実施例について図面を参照して説明する。
【００１３】
（実施例１）
図１および図２において、１１は被加熱器具、１２は被加熱器具１１を加熱する加熱コイル、１３は加熱コイル１２に電流を供給する制御回路、１４は加熱コイルおよび駆動回路１３を冷却する第１の送風手段である冷却ファン、１５は吸気口１６より吸気し、冷却ファン１３により発生した風を加熱コイル１２および駆動回路１３を冷却したあと、排気口１７へ導く第１の送風経路である。１８は被加熱器具の側面近傍に設けた吹き出し口、１９は吹き出し口の対向する位置に吸い込み口、２０は吸い込み側に配置され、吸引した油煙２１を除去する油煙除去手段でフィルタから成る。２２は吹き出し口１８から吸い込み口１９に向けて空気を流す第２の送風手段の除煙用ファンである。２３は除煙用ファン２２により発生した風を吹き出し口１８に送り出し、吸い込み口１９より吸い込まれた油煙を含んだ空気を油煙除去手段２０の除煙フィルタを通してろ過し、除煙された空気を再び吹き出し口に送り出す第２の送風経路である。
【００１４】
上記構成において、加熱コイル１２に制御回路１３により電流を供給すると被加熱器具１１が加熱される。このとき、加熱コイル１２および制御回路１３の部品温度が上昇するため、連続加熱を行うことができるよう加熱コイル１２および制御回路１３を第１の送風手段１４である冷却ファンにより吸気口１６から吸引し発生した風を排気口１７へ向けて流れる第１の送風経路１５に流し、冷却を行う。
【００１５】
また、被加熱器具１１例えばプレ−トが加熱されることにより、プレ−ト上に置かれた調理物から出てくる油や調理前に塗った油が加熱され、油煙２１が発生する。この油煙はプレ−ト加熱で生じた上昇気流に巻き込まれながら拡散しようとする。ここで第２の送風手段２２である除煙ファンにより風が発生し、吹き出し口１８から吸い込み口１９に対して空気が吐出され、被加熱器具１１の上面に吹き出し口１８から吸い込み口１９への空気の流れが形成され、プレ−ト上で発生する油煙を吸い込み口１９へ押し流し、吸い込み口１９より油煙２１と共に吸引される。そして、吸い込み口１９より吸い込まれた油煙２１を含んだ空気は第２の送風経路２３を通って、油煙除去手段２０の除煙フィルタを通してろ過し、除煙された空気を再び吹き出し口に送り出される。したがって、油煙２１が室内に拡散することが大幅に低減されることになる。
【００１６】
また加熱コイル１２および制御回路１３を冷却する冷却経路である第１の送風経路１５と除煙経路である第２の送風経路２３を分けることで、油煙除去手段２０を通過した後、残留油煙があったとしても、加熱コイル１２や制御回路１３に油が付着することがなく、また、吸い込まれた被加熱器具１１上の熱い空気が加熱コイル１２や制御回路１３に流れ込み、冷却状態を悪化させることを防ぐことができる。
【００１７】
このように本実施例によれば、被加熱器具１１の上面に吹き出し口１８から吸い込み口１９への空気の流れが形成され、プレ−ト上で発生する油煙を吸い込み口１９へ押し流し、吸い込み口１９より油煙と共に吸引される。そして、油煙除去手段２０によって油煙は除去され、油煙が室内に拡散することが大幅に低減される。
【００１８】
また、誘導加熱調理器自体に油煙拡散を低減する手段を持たせたので、工事が不要で、使う場所の制約を受けることがない、簡単な構成で、使いやすい家庭用の誘導加熱調理器を提供することができる。
【００１９】
またさらに、冷却経路である第１の送風経路１５と除煙経路である第２の送風経路２３を分けることで、油煙除去手段２０を通過した後、残留油煙があったとしても、加熱コイル１２や制御回路１３に油が付着することがなく、また、吸い込まれた被加熱器具１１上の熱い空気が加熱コイル１２や制御回路１３に流れ込み、冷却状態を悪化させることを防ぐことができる。
【００２０】
なお、第１の送風経路１５と第２の送風経路２３は完全に分割される必要はなく、配線のための穴部や、除煙性能および加熱コイルと制御回路の冷却性能が著しく低下しない範囲で、第１の送風経路１５と第２の送風経路２３とを結合してもよい。
【００２１】
また、図３および図４に他の実施構成を示す。１１は被加熱器具、１２は被加熱器具１１を加熱する加熱コイル、１３は加熱コイル１２に電流を供給する制御回路、１４は加熱コイルおよび駆動回路１３を冷却する第１の送風手段である冷却ファン、１５は吸気口１６より吸気し、冷却ファン１３により発生した風を加熱コイル１２および駆動回路１３を冷却したあと、排気口１７へ導く第１の送風経路である。１８は被加熱器具の側面近傍に設けた吹き出し口、１９は吹き出し口の対向する、被加熱器具中央に配された吸い込み口、２０は吸い込み側下部に配置され、吸引した油煙２１を除去する油煙除去手段でフィルタから成る。２２は吹き出し口１８から吸い込み口１９に向けて空気を流す第２の送風手段の除煙用ファンである。２３は除煙用ファン２２により発生した風を吹き出し口１８に送り出し、吸い込み口１９より吸い込まれた油煙を含んだ空気を油煙除去手段２０の除煙フィルタを通してろ過し、除煙された空気を再び吹き出し口に送り出す第２の送風経路である。
【００２２】
上記他の実施構成においても同様の効果を得ることができる。
【００２３】
（実施例２）
次ぎに、本発明の第２の実施例について説明する。基本的な構成は実施例１と同様であるが、第１の送風経路１５と第２の送風経路２３を高さ方向に重ね、第１の送風経路１５を上側とした構成とする。
【００２４】
上記構成において、加熱コイル１２に制御回路１３により電流を供給すると被加熱器具１１が加熱される。このとき、加熱コイル１２および制御回路１３の部品温度が上昇するため、連続加熱を行うことができるよう加熱コイル１２および制御回路１３を第１の送風手段１４である冷却ファンにより発生した風を第１の送風経路１５に流し冷却を行う。
【００２５】
また、被加熱器具１１例えばプレ−トが加熱されることにより、プレ−ト上に置かれた調理物から出てくる油や調理前に塗った油が加熱され、油煙２１が発生する。この油煙はプレ−ト加熱で生じた上昇気流に巻き込まれながら拡散しようとする。ここで第２の送風手段２２である除煙ファンにより風が発生し、吹き出し口１８から吸い込み口１９に対して空気が吐出され、被加熱器具１１の上面に吹き出し口１８から吸い込み口１９への空気の流れが形成され、プレ−ト上で発生する油煙を吸い込み口１９へ押し流し、吸い込み口１９より油煙と共に吸引される。そして、吸い込み口１９より吸い込まれた油煙２１を含んだ空気は第２の送風経路２３を通って、油煙除去手段２０の除煙フィルタを通してろ過し、除煙された空気を再び吹き出し口１８に送り出される。したがって、油煙２１が室内に拡散することが大幅に低減されることになる。
【００２６】
またさらに、被加熱器具１１を加熱するためには、加熱コイル１２が被加熱器具１１の下にくる必要があり、加熱コイル１２および制御回路１３を冷却するための第１の送風経路１５と除煙を行うための第２の送風経路２３を高さ方向に重ねた場合、第１の送風経路１５を上側とすることで、前記加熱コイル１２に電流を供給する制御回路１３と加熱コイル１２および制御回路１３を冷却するための第１の送風手段１４と第１の送風経路１５を集約することにより小スペ−スに構成することが可能となり、かつ効率よく加熱コイル１２と制御回路１３を冷却することができる。
【００２７】
また加熱コイル１２および制御回路１３を冷却する冷却経路である第１の送風経路１５と除煙経路である第２の送風経路２３を分けることで、油煙除去手段２０を通過した後、残留油煙があったとしても、加熱コイル１２や制御回路１３に油が付着することがなく、また、吸い込まれた被加熱器具１１上の熱い空気が加熱コイル１２や制御回路１３に流れ込み、冷却状態を悪化させることを防ぐことができる。
【００２８】
このように本実施例によれば、被加熱器具１１の上面に吹き出し口１８から吸い込み口１９への空気の流れが形成され、プレ−ト上で発生する油煙２１を吸い込み口１９へ押し流し、吸い込み口１９より油煙２１と共に吸引される。そして、油煙除去手段２０によって油煙２１は除去され、油煙２１が室内に拡散することが大幅に低減される。
【００２９】
また、誘導加熱調理器自体に油煙拡散を低減する手段を持たせたので、工事が不要で、使う場所の制約を受けることがない、簡単な構成で、使いやすい家庭用の誘導加熱調理器を提供することができる。
【００３０】
またさらに、冷却経路である第１の送風経路１５と除煙経路である第２の送風経路２３を高さ方向に重ね、第１の送風経路１５を上側にすることで、加熱コイル１２と制御回路１３を小スペ−スに配置でき、かつ効率よく加熱コイル１２と制御回路１３を冷却することができ、コンパクトな誘導加熱調理器を提供することができる。
【００３１】
また冷却経路である第１の送風経路１５と除煙経路である第２の送風経路２３を分けることで、油煙除去手段２０を通過した後、残留油煙があったとしても、加熱コイル１２や制御回路１３に油が付着することがなく、また、吸い込まれた被加熱器具１１上の熱い空気が加熱コイル１２や制御回路１３に流れ込み、冷却状態を悪化させることを防ぐことができる。
【００３２】
なお、第１の送風経路１５と第２の送風経路２３は完全に分割される必要はなく、配線のための穴部や、除煙性能および加熱コイルと制御回路の冷却性能が著しく低下しない範囲で、第１の送風経路１５と第２の送風経路２３とを結合してもよい。
【００３３】
（実施例３）
次ぎに、本発明の第３の実施例について説明する。基本的な構成は実施例１と同様であるが、第１の送風経路１５と第２の送風経路２３とが、略直角に重なる構成とする。図５に第１の送風経路１５と第２の送風経路２３とが、略直角に重なる構成の概略図を示す。
【００３４】
上記構成において、加熱コイル１２に制御回路１３により電流を供給すると被加熱器具１１が加熱される。このとき、加熱コイル１２および制御回路１３の部品温度が上昇するため、連続加熱を行うことができるよう加熱コイル１２および制御回路１３を第１の送風手段１４である冷却ファンにより発生した風を第１の送風経路１５に流し冷却を行う。
【００３５】
また、被加熱器具１１例えばプレ−トが加熱されることにより、プレ−ト上に置かれた調理物から出てくる油や調理前に塗った油が加熱され、油煙２１が発生する。この油煙２１はプレ−ト加熱で生じた上昇気流に巻き込まれながら拡散しようとする。ここで第２の送風手段２２である除煙ファンにより風が発生し、吹き出し口１８から吸い込み口１９に対して空気が吐出され、被加熱器具１１の上面に吹き出し口１８から吸い込み口１９への空気の流れが形成され、プレ−ト上で発生する油煙２１を吸い込み口１９へ押し流し、吸い込み口１９より油煙２１と共に吸引される。そして、吸い込み口１９より吸い込まれた油煙２１を含んだ空気は第２の送風経路２３を通って、油煙除去手段２０の除煙フィルタを通してろ過し、除煙された空気を再び吹き出し口に送り出される。したがって、油煙２１が室内に拡散することが大幅に低減されることになる。
【００３６】
またさらに、冷却経路である第１の送風経路１５と除煙経路である第２の送風経路２３とが、略直角に重なる構成とすることにより、冷却風の第１の送風経路１５は冷却風の吸気口１６から冷却風の排気口１７へ、前から後ろへ流れ、除煙風の第２の送風経路２３は冷却風の第１の送風経路１５の周りを循環し、冷却経路である第１の送風経路１５と除煙経路である第２の送風経路２３とが影響し合うことなく形成でき、冷却のための吸気が被加熱器具上部を通過した熱い空気が流れる第２の送風経路である除煙の送風経路により暖められることが無く、効率のよい冷却を可能とすると共に、除煙の循環経路に冷却の送風経路が干渉することがない経路構成が可能となるため、効率のよい除煙を行うことができる。
【００３７】
また加熱コイル１２および制御回路１３を冷却する冷却経路である第１の送風経路１５と除煙経路である第２の送風経路２３を分けることで、油煙除去手段２０を通過した後、残留油煙があったとしても、加熱コイル１２や制御回路１３に油が付着することがなく、また、吸い込まれた被加熱器具１１上の熱い空気が加熱コイル１２や制御回路１３に流れ込み、冷却状態を悪化させることを防ぐことができる。
【００３８】
このように本実施例によれば、被加熱器具１１の上面に吹き出し口１８から吸い込み口１９への空気の流れが形成され、プレ−ト上で発生する油煙２１を吸い込み口１９へ押し流し、吸い込み口１９より油煙２１と共に吸引される。そして、油煙除去手段２０によって油煙２１は除去され、油煙２１が室内に拡散することが大幅に低減される。
【００３９】
また、誘導加熱調理器自体に油煙拡散を低減する手段を持たせたので、工事が不要で、使う場所の制約を受けることがない、簡単な構成で、使いやすい家庭用の誘導加熱調理器を提供することができる。
【００４０】
またさらに、冷却経路である第１の送風経路１５と除煙経路である第２の送風経路２３とが、略直角に重なる構成とすることにより、冷却経路である第１の送風経路１５と除煙経路である第２の送風経路２３とが影響し合うことなく形成でき、冷却のための吸気が被加熱器具上部を通過した熱い空気が流れる第２の送風経路である除煙の送風経路により暖められることが無く、効率のよい冷却を可能とすると共に、除煙の循環経路に冷却の送風経路が干渉することがない経路構成が可能となるため、効率のよい除煙を行うことができる。
【００４１】
また冷却経路である第１の送風経路１５と除煙経路である第２の送風経路２３を分けることで、油煙除去手段２０を通過した後、残留油煙があったとしても、加熱コイル１２や制御回路１３に油が付着することがなく、また、吸い込まれた被加熱器具１１上の熱い空気が加熱コイル１２や制御回路１３に流れ込み、冷却状態を悪化させることを防ぐことができる。
【００４２】
なお、第１の送風経路１５と第２の送風経路２３は完全に分割される必要はなく、配線のための穴部や、除煙性能および加熱コイルと制御回路の冷却性能が著しく低下しない範囲で、第１の送風経路１５と第２の送風経路２３とを結合してもよい。
【００４３】
図６に他の実施構成の第１の送風経路１５と第２の送風経路２３とが、略直角に重なる構成の概略図を示す。
【００４４】
上記他の実施構成においても同様の効果を得ることができる。
【００４５】
（実施例４）
次ぎに、本発明の第４の実施例について説明する。基本的な構成は実例１と同様であるが、第２の送風経路に送風する風の一部を排出する排気穴３１を、第１の送風経路の吸気口１６の吸気範囲から離して設けた構成とする。図７に概略図を示す。
【００４６】
上記構成において、加熱コイル１２に制御回路１３により電流を供給すると被加熱器具１１が加熱される。このとき、加熱コイル１２および制御回路１３の部品温度が上昇するため、連続加熱を行うことができるよう加熱コイル１２および制御回路１３を第１の送風手段１４である冷却ファンにより発生した風を第１の送風経路１５に流し冷却を行う。
【００４７】
また、被加熱器具１１例えばプレ−トが加熱されることにより、プレ−ト上に置かれた調理物から出てくる油や調理前に塗った油が加熱され、油煙２１が発生する。この油煙２１はプレ−ト加熱で生じた上昇気流に巻き込まれながら拡散しようとする。ここで第２の送風手段２２である除煙ファンにより風が発生し、吹き出し口１８から吸い込み口１９に対して空気が吐出され、被加熱器具１１の上面に吹き出し口１８から吸い込み口１９への空気の流れが形成され、プレ−ト上で発生する油煙２１を吸い込み口１９へ押し流し、吸い込み口１９より油煙２１と共に吸引される。そして、吸い込み口１９より吸い込まれた油煙２１を含んだ空気は第２の送風経路２３を通って、油煙除去手段２０の除煙フィルタを通してろ過し、除煙された空気を再び吹き出し口１８に送り出される。したがって、油煙２１が室内に拡散することが大幅に低減されることになる。
【００４８】
また、吹き出し口１８からの風が強いとプレ−ト上で発生する油煙２１を吸い込み口１９へ押し流す風が舞い上がり、吸い込み口１９の上方を通り抜け、吸い込み口１９より効率よく油煙２１を含んだ空気を吸引することができない。したがって、油煙除去手段２０の除煙フィルタを通してろ過し、除煙された空気を再び吹き出し口１８に送り出す際、吹き出し口１８へ送り出す空気の量を減らす必要がある。このため、第２の送風経路２３に吹き出し口１８へ送風する風の一部を排出する排気穴３１を設ける。この際、排気穴３１を第１の送風経路１５の吸気口１６の吸気範囲から離して設ける。これにより、排気穴３１から排出されたプレ−ト上から吸い込まれた熱い空気を、加熱コイル１２および制御回路１３を冷却するための空気として吸い込むことを防ぎ、効率よく冷却を行うことができる。
【００４９】
また加熱コイル１２および制御回路１３を冷却する冷却経路である第１の送風経路１５と除煙経路である第２の送風経路２３を分けることで、油煙除去手段２０を通過した後、残留油煙があったとしても、加熱コイル１２や制御回路１３に油が付着することがなく、また、吸い込まれた被加熱器具１１上の熱い空気が加熱コイル１２や制御回路１３に流れ込み、冷却状態を悪化させることを防ぐことができる。
【００５０】
このように本実施例によれば、被加熱器具１１の上面に吹き出し口１８から吸い込み口１９への空気の流れが形成され、プレ−ト上で発生する油煙２１を吸い込み口１９へ押し流し、吸い込み口１９より油煙２１と共に吸引される。そして、油煙除去手段２０によって油煙２１は除去され、油煙２１が室内に拡散することが大幅に低減される。
【００５１】
また、誘導加熱調理器自体に油煙拡散を低減する手段を持たせたので、工事が不要で、使う場所の制約を受けることがない、簡単な構成で、使いやすい家庭用の誘導加熱調理器を提供することができる。
【００５２】
またさらに、第２の送風経路２３に送風する風の一部を排出する排気穴３１を、第１の送風経路１５の吸気口１６の吸気範囲から離して設けることにより、排気穴３１から排出されたプレ−ト上から吸い込まれた熱い空気を、加熱コイル１２および制御回路１３を冷却するための空気として吸い込むことを防ぎ、効率よく冷却を行うことができる。
【００５３】
また冷却経路である第１の送風経路１５と除煙経路である第２の送風経路２３を分けることで、油煙除去手段２０を通過した後、残留油煙があったとしても、加熱コイル１２や制御回路１３に油が付着することがなく、また、吸い込まれた被加熱器具１１上の熱い空気が加熱コイル１２や制御回路１３に流れ込み、冷却状態を悪化させることを防ぐことができる。
【００５４】
なお、第１の送風経路１５と第２の送風経路２３は完全に分割される必要はなく、配線のための穴部や、除煙性能および加熱コイルと制御回路の冷却性能が著しく低下しない範囲で、第１の送風経路１５と第２の送風経路２３とを結合してもよい。
【００５５】
図８に他の実施構成の概略図を示す。
【００５６】
上記他の実施構成においても同様の効果を得ることができる。
【００５７】
【発明の効果】
以上のように、請求項１記載の発明によれば、油煙除去手段によって油煙は除去され、油煙が室内に拡散することが大幅に低減される。また、誘導加熱調理器自体に油煙拡散を低減する手段を持たせたので、工事が不要で、使う場所の制約を受けることがない、簡単な構成で、使いやすい家庭用の誘導加熱調理器を提供することができる。またさらに、冷却経路である第１の送風経路と除煙経路である第２の送風経路を分けることで、油煙除去手段を通過した後、残留油煙があったとしても、加熱コイルや制御回路に油が付着することがなく、また、吸い込まれた被加熱器具上の熱い空気が加熱コイルや制御回路に流れ込み、冷却状態を悪化させることを防ぐことができる。
【００５８】
また、冷却経路である第１の送風経路と除煙経路である第２の送風経路とが、略直角に重なる構成とすることにより、冷却経路である第１の送風経路と除煙経路である第２の送風経路とが影響し合うことなく形成でき、冷却のための吸気が被加熱器具上部を通過した熱い空気が流れる第２の送風経路である除煙の送風経路により暖められることが無く、効率のよい冷却を可能とすると共に、除煙の循環経路に冷却の送風経路が干渉することがない経路構成が可能となるため、効率のよい除煙を行うことができる。
【００５９】
また、請求項２記載の発明によれば、第２の送風経路に送風する風の一部を排出する排気穴を、第１の送風経路の吸気口の吸気範囲から離して設けることにより、排気穴から排出されたプレ−ト上から吸い込まれた熱い空気を、加熱コイルおよび制御回路を冷却するための空気として吸い込むことを防ぎ、効率よく冷却を行うことができる。
【図面の簡単な説明】
【図１】  本発明の第１〜４の実施例を示す誘導加熱調理器の横断面図
【図２】  同、誘導加熱調理器の要部断面図
【図３】  同、誘導加熱調理器の別の要部断面図
【図４】  同、誘導加熱調理器の別の要部断面図
【図５】  本発明の第３の実施例を示す誘導加熱調理器の概略図
【図６】  同、誘導加熱調理器の別の概略図
【図７】  本発明の第４の実施例を示す誘導加熱調理器の概略図
【図８】  同、誘導加熱調理器の別の概略図
【図９】  従来の誘導加熱調理器の要部断面図
【符号の説明】
１，１１  被加熱器具
２，１２  加熱コイル
３，１３  制御回路
４  送風手段
５  送風経路
６，２１  油煙
１４  第１の送風手段
１５  第１の送風経路
１６  吸気口
１７  排気口
１８  吹き出し口
１９  吸い込み口
２０  油煙除去手段
２２  第２の送風手段
２３  第２の送風経路
３１  排気穴
【図１】
0003885380.tif 000002
【図２】
0003885380.tif 000003
【図３】
0003885380.tif 000004
【図４】
0003885380.tif 000005
【図５】
0003885380.tif 000006
【図６】
0003885380.tif 000007
【図７】
0003885380.tif 000008
【図８】
0003885380.tif 000009
【図９】
0003885380.tif 000010